(57)【要約】【課題】パーソナルコンピュータを居室親機として使用可能とし、複数のカメラ付玄関子機を設けても１台のパーソナルコンピュータで対応可能とする。【解決手段】カメラ付玄関子機１から送信される呼出信号と映像信号及び音声信号を多重したアナログデータ信号をデジタルデータ信号に変換する多重信号変換回路１２をアド・イン・カード２に設け、そのアド・イン・カード２をパーソナルコンピュータ３に接続した。パーソナルコンピュータ３には、多重信号変換回路１２で変換されたデジタルデータ信号を、呼出データ、映像データ、音声データに変換分離するデータ変換部１６をプログラムで形成し、分離された呼出データを呼出音として報音すると共に双方向通信をする音声部１８、分離された映像データを出画する表示部２０、キーボードやマウスから成る操作部１９を設けた。【選択図】　図１
2004088637.tif 000002
【特許請求の範囲】
【請求項１】
居住者を呼び出すための呼出ボタン、来訪者を撮像するためのカメラ部、前記呼出ボタンから送出される呼出信号及び前記カメラ部から送出されて映像変調回路にて変調された映像信号を多重して成るアナログデータ信号を送信するための子機多重回路、を有するカメラ付玄関子機と、
多重された前記アナログデータ信号を受信してデジタルデータ信号に変換する多重信号変換回路を有するアド・イン・カードと、
前記アド・イン・カードと通信可能であり、前記デジタルデータ信号を呼出データと映像データに変換分離するためのプログラムにより形成されたデータ変換部、分離された前記呼出データを呼出音として報音するための音声部、分離された前記映像データを表示するための表示部を備えたパーソナルコンピュータと、で構成したことを特徴とするテレビドアホン装置。
【請求項２】
居住者を呼び出すための呼出ボタン、来訪者を撮像するためのカメラ部、居住者に通話をするための子機音声回路、前記呼出ボタンから送出される呼出信号と前記カメラ部から送出され映像変調回路にて変調された映像信号及び前記子機音声回路からの音声信号とを多重して成るアナログデータ信号を送信するための子機多重回路、を有するカメラ付玄関子機と、
多重された前記アナログデータ信号を受信してデジタルデータ信号に変換する多重信号変換回路を有するアド・イン・カードと、
前記アド・イン・カードと通信可能であり、前記デジタルデータ信号を呼出データ、映像データ、音声データに変換分離するためのプログラムにより形成されたデータ変換部、分離された前記呼出データを呼出音として報音すると共に音声データを出力するための音声部、分離された前記映像データを表示するための表示部を備えたパーソナルコンピュータと、で構成したことを特徴とするテレビドアホン装置。
【請求項３】
前記パーソナルコンピュータの音声部は居住者から入力された音声を音声データとして前記アド・イン・カードに送信し、前記アド・イン・カードの多重信号変換回路が受信した前記音声データをアナログデータ信号に変換して前記カメラ付玄関子機へ送信し、更に前記カメラ付玄関子機の子機音声回路から前記音声データを音声として出力して前記カメラ付玄関子機と前記パーソナルコンピュータとで双方向通信する請求項２記載のテレビドアホン装置。
【請求項４】
前記パーソナルコンピュータに複数のアド・イン・カードが接続されて前記アド・イン・カードごとにカメラ付玄関子機が接続されたテレビドアホン装置にあっては、
前記パーソナルコンピュータは、前記複数のアド・イン・カードと通信可能であって複数の前記カメラ付玄関子機のうち所望のカメラ付玄関子機に接続された前記アド・イン・カードを選択するための操作部と、前記操作部により選択された前記アド・イン・カードとの通信を制御する制御部と、を備えた請求項１乃至３の何れかに記載のテレビドアホン装置。
【請求項５】
前記操作部により選択された前記アド・イン・カードが複数の場合は、前記制御部が前記複数のアド・イン・カードを介して受信した映像データをマルチウインドウ又は分割画面として表示するための制御を行う請求項４記載のテレビドアホン装置。
【請求項６】
請求項１乃至５の何れかに記載のテレビドアホン装置に使用するテレビドアホン装置用アド・イン・カード。
【発明の詳細な説明】
【０００１】
【発明の属する技術分野】
本発明はテレビドアホン装置に関し、詳しくは居室内に設置する居室親機をパーソナルコンピュータとしたテレビドアホン装置及びその際に使用するテレビドアホン装置用アド・イン・カードに関する。
【０００２】
【従来の技術】
従来のテレビドアホン装置は図５のブロック図に示す構成のものが知られている。図５において、３０はカメラ付玄関子機、３１はモニタ付居室親機であり、玄関先等に取り付けられたカメラ玄関子機３０は、子機接続ケーブル３２を介してモニタ付居室親機３１と接続されている。そして、図示するように、カメラ付玄関子機３０は、呼出ボタン３３、呼出ボタン３３の操作で呼出信号を送出する子機呼出検出回路３４、来訪者を撮像するカメラ部３５、カメラ部３５からの映像信号を変調する映像変調回路３６、マイクとスピーカを備えた子機音声回路３７、子機呼出検出回路３４からの呼出信号と映像変調回路３６からの映像変調信号とを多重する子機多重回路３８を備えている。
また、モニタ付居室親機３１は、カメラ付玄関子機３０から送られてきた信号を分離する親機多重回路３９、呼出信号を受けて制御回路へ信号を出力する親機呼出検出回路４０、モニタを有するモニタ回路４１、マイクとスピーカを備えた親機音声回路４２、制御回路４３、カメラ付玄関子機３０のカメラ部３５を動作させる場合に操作するモニタボタン４４、モニタボタン４４の操作で信号を出力するモニタ検出回路４５を備えている。
【０００３】
次に、この従来のテレビドアホン装置の動作を説明する。来訪者がカメラ付玄関子機３０の呼出しボタン３３を押すと、子機呼出検出回路３４から呼出信号が発せられ、親機呼出検出回路４０を介して制御回路４３へ通知される。制御回路４３は呼出音を鳴動させ、モニタ回路４１及び親機音声回路４２を起動し、モニタ付居室親機３１を呼出し状態とさせる。
そして、呼出音に気付いた居住者が、モニタ付居室親機３１の送受器（図示せず）を取り上げることで通話状態となる。居住者が通話を終え、送受器を下ろすことで制御回路４３は、モニタ回路４１、親機音声回路４２の動作を停止させて待受け状態に戻る。また、モニタ付居室親機３１側からモニタする場合は、居住者がモニタボタン４４を押したことをモニタ検出回路４５で検出し、制御回路４３を介してカメラ付玄関子機３０を動作させてからモニタ回路４１を動作させる。
更に、カメラ付玄関子機３０が複数接続されている場合は、居住者がモニタボタン４４を押すことでカメラ付玄関子機３０を選択し、モニタ検出回路４５で検出して制御回路４３を介して選択したカメラ付玄関子機３０をモニタする。
【０００４】
【発明が解決しようとする課題】
しかし、上記従来のテレビドアホン装置の場合、モニタ付居室親機３１は壁面等に固定設置する構成のため移動するのが困難であったため、モニタ付居室親機３１のない場所からは応答できなかった。そのため、モニタ付居室親機３１を設置していない他の場所でインターホンの応答をしたい場合は、新たに居室親機を増設しなければならなかった。
【０００５】
尚、上述する問題点に関して本出願人は特開平９−４６６９９号公報に、パーソナルコンピュータに備えたテレビモニタにカメラ付玄関子機の撮像した映像を映し出す技術を開示し、モニタ付居室親機を用いなくても来訪者の映像をモニタできる構成を提案している。しかし、この構成は、パーソナルコンピュータにビデオ・キャプチャ・ボード、サウンド・ボード、信号入出力ボードの３枚のボードが必要であるのに加え、これらのボードの外部にインターフェイス整合のために主装置を設けなければ成らず、構成が複雑であるし１台のカメラ付玄関子機にしか対応できなかった。
【０００６】
そこで、本発明は上記問題点に鑑み、移動が可能なパーソナルコンピュータを簡易な操作で居室親機として使用可能とすると共に、カメラ付玄関子機を複数設けても１台のパーソナルコンピュータで対応可能なテレビドアホン装置及びそのテレビドアホン装置に用いるアド・イン・カードを提供することを目的とする。
【０００７】
【課題を解決するための手段】
上記課題を解決するため、請求項１の発明に係るテレビドアホン装置は、居住者を呼び出すための呼出ボタン、来訪者を撮像するためのカメラ部、呼出ボタンから送出される呼出信号及びカメラ部から送出されて映像変調回路にて変調された映像信号を多重して成るアナログデータ信号を送信するための子機多重回路、を有するカメラ付玄関子機と、多重されたアナログデータ信号を受信してデジタルデータ信号に変換する多重信号変換回路を有するアド・イン・カードと、アド・イン・カードと通信可能であり、デジタルデータ信号を呼出データと映像データに変換分離するためのプログラムにより形成されたデータ変換部、分離された呼出データを呼出音として報音するための音声部、分離された映像データを表示するための表示部を備えたパーソナルコンピュータと、で構成したことを特徴とする。
そして上記構成により、来訪者の姿をパーソナルコンピュータにより認識でき、専用のモニタ付居室親機に頼らなくてもカメラ付玄関子機の呼出操作に対応させることが可能である。然も、パーソナルコンピュータは、アド・イン・カードを接続して必要なプログラムをインストールする簡易な操作でモニタ付居室親機として構成することができる。
尚、アド・イン・カードは、パーソナルコンピュータのためのカード型のプラグ・イン・アダプタに関する規格であるＰＣカードスタンダード（ＪＥＩＤＡ／ＰＣＭＣＩＡ間にて標準化に合意した規格）に準拠したカードである。
【０００８】
請求項２の発明に係るテレビドアホン装置は、居住者を呼び出すための呼出ボタン、来訪者を撮像するためのカメラ部、居住者に通話をするための子機音声回路、呼出ボタンから送出される呼出信号とカメラ部から送出され映像変調回路にて変調された映像信号及び子機音声回路からの音声信号とを多重して成るアナログデータ信号を送信するための子機多重回路、を有するカメラ付玄関子機と、多重されたアナログデータ信号を受信してデジタルデータ信号に変換する多重信号変換回路を有するアド・イン・カードと、アド・イン・カードと通信可能であり、デジタルデータ信号を呼出データ、映像データ、音声データに変換分離するためのプログラムにより形成されたデータ変換部、分離された呼出データを呼出音として報音すると共に音声データを出力するための音声部、分離された映像データを表示するための表示部を備えたパーソナルコンピュータと、で構成したことを特徴とする。
そして上記構成により、パーソナルコンピュータにより来訪者の音声を認識できるし姿も映像で認識できるので、専用の居室親機に頼らなくてもカメラ付玄関子機の呼出操作に対応させることが可能である。また、パーソナルコンピュータはアド・イン・カードを接続して必要なプログラムをインストールする簡易な操作で、音声を出力できるしカメラ部からの映像データを出画できる。
【０００９】
請求項３の発明は、請求項２の発明において、パーソナルコンピュータの音声部は居住者から入力された音声を音声データとしてアド・イン・カードに送信し、アド・イン・カードの多重信号変換回路が受信した音声データをアナログデータ信号に変換してカメラ付玄関子機へ送信し、更にカメラ付玄関子機の子機音声回路から音声データを音声として出力してカメラ付玄関子機とパーソナルコンピュータとで双方向通信することを特徴とする。
そして上記構成により、パーソナルコンピュータとカメラ付玄関子機との間で双方向通信ができるので、モニタ付居室親機の機能を全てパーソナルコンピュータに代用でき、専用のモニタ付居室親機が必要ない。
【００１０】
請求項４の発明は、請求項１乃至３の何れかの発明において、パーソナルコンピュータに複数のアド・イン・カードが接続されてアド・イン・カードごとにカメラ付玄関子機が接続されたテレビドアホン装置にあっては、パーソナルコンピュータは、複数のアド・イン・カードと通信可能であって複数のカメラ付玄関子機のうち所望のカメラ付玄関子機に接続されたアド・イン・カードを選択するための操作部と、操作部により選択されたアド・イン・カードとの通信を制御する制御部と、を備えたことを特徴とする。
そして上記構成により、複数のカメラ付玄関子機を設けても１台のパーソナルコンピュータで容易に対応できる。
【００１１】
請求項５の発明は、請求項４の発明において、操作部により選択されたアド・イン・カードが複数の場合は、制御部が複数のアド・イン・カードを介して受信した映像データをマルチウインドウ又は分割画面として表示するための制御を行うことを特徴とする。
そして上記構成により、同時に複数のカメラ映像を表示できるので、同時に複数の来訪者があっても容易に対応することができる。
【００１２】
請求項６の発明に係るテレビドアホン装置用アド・イン・カードは、請求項１乃至５の何れかに記載のテレビドアホン装置に使用されるものである。
そして上記構成により、アド・イン・カードは、多重信号変換回路によりカメラ付玄関子機から送信されるアナログデータ信号をデジタルデータ信号に変換するので、パーソナルコンピュータとカメラ付玄関子機との接続を簡易に実施でき、パーソナルコンピュータはカメラ付玄関子機からの音声を出力できるし、映像信号を表示部であるディスプレイ上に出画させることができる。
【００１３】
【発明の実施の形態】
以下、本発明を具体化した実施の形態を、図面に基づいて詳細に説明する。図１は本発明に係るテレビドアホン装置の一例を示すブロック図を示し、１はカメラ付玄関子機、２はアド・イン・カード、３はパーソナルコンピュータ（以下、単にパソコンとする。）である。カメラ付玄関子機１は、子機接続ケーブル４によりアド・イン・カード２に接続され、アド・イン・カード２はパソコン３に接続されている。
【００１４】
カメラ付玄関子機１は、例えば玄関先に取付けられ、居住者を呼出す呼出ボタン５、呼出ボタン５の操作で動作する子機呼出検出回路６、来訪者を撮像するカメラ部７、カメラ部７からの映像信号を変調する映像変調回路８、マイクやスピーカを備え居住者と通話するための子機音声回路９、呼出ボタン５から送出される呼出信号とカメラ部７からから送出された映像変調回路８にて変調された映像信号及び子機音声回路９からの音声信号を多重してアナログデータ信号として送信するための子機多重回路１０を備えている。
【００１５】
アド・イン・カード２は、カメラ付玄関子機１から出力される多重されたアナログデータ信号をデジタルデータ信号に変換する多重信号変換回路１２、カメラ付玄関子機１からの呼び出しを検知してパソコン３へ呼出デジタルデータ信号を出力する呼出検出回路１３を有している。そして、このアド・イン・カード２をパソコン３に接続すると共に必要なソフトウエアをパソコン３にインストールすることで容易にパソコン３を居室親機として使用可能とし、インターホン通信を可能としている。
尚、本発明のアド・イン・カード２はテレビドアホン装置専用に作成されているが、ＰＣカードスタンダードに準拠しているため、プラグアンドプレイを実現でき、パソコンの電源を入れたまま所定の操作によりアド・イン・カード２を取出して他のパソコンに移すことができる。
【００１６】
パソコン３は、アド・イン・カード２を連結するカードインターフェース１５、プログラムから成るデータ変換部１６及び制御部１７を有し、１８はスピーカ及びマイクを有する音声部、１９はキーボード及びマウスから成る操作部、２０はＣＲＴ或いは液晶等のディスプレイから成る表示部である。そして、データ変換部１６は、多重信号変換回路１２で変換されたデジタルデータ信号を、呼出データ、映像データ、音声データに変換分離する動作をし、制御部１７は、音声部１８、操作部１９、表示部２０を制御している。尚、Ａはプログラムによる構成部を示している。
【００１７】
次に、上記テレビドアホン装置の動作を説明する。来訪者がカメラ付玄関子機１の呼出ボタン５を押したら、その操作により子機呼出検出回路６は検知信号を出力する。そして、映像変調回路８で変調されたカメラ部７の映像信号が検知信号と共に子機多重回路１０に入る。子機多重回路１０で多重化された検知信号と映像信号は子機接続ケーブル４を介してアド・イン・カード２に送信され、送信されたアナログデータ信号は、アド・イン・カード２の多重信号変換回路１２でデジタルデータ信号に変換されてパソコン３に送信される。
【００１８】
パソコン３に送信された検知信号と映像データは、データ変換部１６でパソコン３が読取り可能なデータにデータ変換され、制御部１７へ通知される。制御部１７は、この通知を受けて音声部１８と操作部１９と表示部２０を起動して音声部１８のスピーカから報音させて呼出状態とすると共に表示部２０でカメラ部７からの映像を出画させる。そして、居住者が操作部１９を操作して通信コマンドを実行することでプログラム動作で応答通話状態となり、アド・イン・カード２を介して音声信号及び制御信号が送受信される。
音声信号の送受信については、パソコン３の音声部１８に内蔵若しくは接続されたスピーカとマイクを介して行われ、終了操作は居住者がパソコン３上の操作部１９の終話ボタンを押すことで実施される。そして、通話を終えたら待受け状態へ戻る。
【００１９】
このように、パソコンがカメラ付玄関子機からの呼出信号を受けて報音すると共にカメラ部からの映像信号を受けて表示部に出画させ、更に来訪者の音声信号を受けて音声を出力するので、来訪者の姿、音声をパソコン上で認識できる。また、パソコンの音声部に設けたマイク，スピーカによりカメラ付玄関子機との間で双方向通信をすることができ、専用のモニタ付居室親機に代えてパソコンを用いることができる。然も、パソコンは、アド・イン・カードを接続してデータ変換部や制御部等の必要なプログラムをインストールする簡易な操作でモニタ付居室親機として構成することができる。
また、アド・イン・カードはカメラ付玄関子機から送信されるアナログデータ信号をデジタルデータ信号に変換するよう構成されるので、パソコンとカメラ付玄関子機との接続を簡易に実施でき、カメラ付玄関子機の映像信号を表示部即ちパソコン画面上に出画させることができる。
尚、双方向通信を採用しない場合は、パソコン３の音声部１８はカメラ付玄関子機からの呼出を通知するスピーカのみ設ければ良く、マイクは必要ない。
【００２０】
図２は本発明の他の例を示し、１台のパソコン３に第１〜第３の３台のカメラ付玄関子機１ａ，１ｂ，１ｃが接続されたテレビドアホン装置を示している。図示するように、第１〜第３の３台のアドインカード２ａ，２ｂ，２ｃをパソコン３に接続し、夫々のアドインカード２ａ，２ｂ，２ｃにカメラ付玄関子機１ａ，１ｂ，１ｃを１台ずつ接続している。尚、カメラ付玄関子機１ａ，１ｂ，１ｃ及びアド・イン・カード２ａ，２ｂ，２ｃは図１と同一の構成である。
この場合、パソコン３上のプログラムにより操作部１９の操作でモニタする或いは通話するカメラ付玄関子機を切替えるようにできるし、居室親機にパソコン３を使用することで、複数のカメラ付玄関子機から映像信号が送信された場合はマルチウインドウ又は分割画面で容易に表示できる。そのため、同時に複数のカメラ部が作動しても無理なく対応することができる。
このように、アド・イン・カードをカメラ付玄関子機の台数分パソコン３に接続する簡易な操作で複数のカメラ付玄関子機を１台のパソコンに接続できるし、夫々のカメラ付玄関子機からの映像信号を出画でき、カメラ付玄関子機との通信を実現できる。
【００２１】
図３，図４は図２の装置のパソコン表示部２０の表示例を示し、図３は２つの映像データをマルチウインドウで表示した状態、図４は二つの映像データを分割画面で表示した状態を示している。双方とも左側が正面玄関に設置したカメラ付玄関子機（例えば図２の第１カメラ付玄関子機１ａ）の映像、右側が勝手口に設置されたカメラ付玄関子機（例えば図２の第２カメラ付玄関子機１ｂ）の映像であり、２か所の映像が１つの表示部に表示されている。
図３のマルチウインドウ画面を詳しく説明すると、２か所のカメラ付玄関子機から同時に呼出しが入った場合、制御部１７はそれぞれの呼び出しを検知し、１つの呼び出しに対して１つのウィンドウを開くため、合計２つのウィンドウが開き、それぞれにウィンドウ上部に呼び出された場所が表示され、カメラ付玄関子機１ａ，１ｂの画像が１つずつ表示される。
【００２２】
一般的に、グラフィカルユーザーインターフェースを持つオペレーティングシステムでは、複数のウィンドウが開かれている場合には、任意の１つのウィンドウだけが選択されてアクティブ状態となるため、ここでは居住者が例えばマウスによって玄関のウィンドウをクリックすると、玄関の画像を表示したウィンドウがアクティブになる。
そして、アクティブになった玄関の画像を表示したウィンドウにおいて、「応答」「終話」のボタンが表示され、居住者が「応答」のボタンをマウスでクリックすると、応答ボタンの表示が反転し、パソコン３の音声部１８に接続されたマイクとスピーカーを動作させ、カメラ付玄関子機１の前にいる来訪者と居住者との双方向通話が可能となる。また、終話ボタンをクリックすると、待受け状態に戻る。
【００２３】
図４の分割画面を詳しく説明すると、２か所のカメラ付き玄関子機１から同時に呼出が入った場合、制御部１２はそれぞれの呼び出しを検知し、複数の映像を表示部２０で表示する。この時、居住者は、優先的に通話したいカメラ付玄関子機側の画像、例えば図４では右側の映像をマウスでクリックすると、図４の右側の画像にある「勝手口」の文字が反転することにより、第２カメラ付玄関子機１ｂが選択されたことを表示する。次に、居住者は、「応答」のボタンをマウスでクリックすると、応答ボタンの表示が反転し、パソコン３の音声部１８に接続されたマイクとスピーカーを動作させ、第２カメラ付玄関子機１ｂの前にいる来訪者と居住者との双方向通話が成立する。
【００２４】
このように、接続した複数のカメラ付玄関子機のカメラ部が同時に撮像を開始しても、パソコンは同時に複数のカメラ映像を出画できるので、同時に複数の来訪者があっても１台のパソコンで容易に対応できる。
尚、第１〜第３の３台の玄関子機１ａ，１ｂ，１ｃから同時に呼出しがあった場合は、パソコン３の表示部２０は３つの撮像画像をマルチウインドウ或いは分割画面で表示するよう制御部１７に制御させれば良いし、更に多くのカメラ付玄関子機がパソコン３に接続された場合は、その数に応じて表示部２０に出画させることも可能である。
【００２５】
【発明の効果】
以上詳述したように、本発明のテレビドアホン装置によれば、パーソナルコンピュータをプログラム変更とアド・イン・カードを接続する簡易な仕様変更でモニタ付居室親機として使用でき、カメラ付玄関子機を複数設けても１台のパーソナルコンピュータで容易に対応することができる。その際複数のカメラ付玄関子機から同時に映像信号が送信されても、同時に表示部に出画させることができるので、対応操作も簡易である。
また、本発明のテレビドアホン装置用アド・イン・カードは、カメラ付玄関子機から送信されるアナログデータ信号をデジタルデータ信号に変換するので、パーソナルコンピュータとカメラ付玄関子機との接続を簡易に実施でき、カメラ付玄関子機の映像信号を表示部即ちパーソナルコンピュータ画面上に容易に出画させることができる。
【図面の簡単な説明】
【図１】本発明の実施形態の一例を示すテレビドアホン装置のブロック図である。
【図２】本発明の他の例を示し、カメラ付玄関子機を２台備えたテレビドアホン装置のブロック図である。
【図３】図２の２つの映像データをマルチウインドウ表示したパソコンの表示画面である。
【図４】図２の２つの映像データを分割表示したパソコン表示画面である。
【図５】従来のテレビドアホン装置のブロック図である。
【符号の説明】
１・・カメラ付玄関子機、２・・アド・イン・カード、３・・パーソナルコンピュータ、５・・呼出ボタン、６・・呼出検出回路、７・・カメラ部、８・・映像変調回路、９・・子機音声回路、１０・・子機多重信回路、１２・・多重信号変換回路、１６・・データ変換部、１７・・制御部、１８・・音声部、１９・・操作部、２０・・表示部。
【図１】
2004088637.tif 000003
【図２】
2004088637.tif 000004
【図３】
2004088637.tif 000005
【図４】
2004088637.tif 000006
【図５】
2004088637.tif 000007